【手続補正書】
【提出日】平成30年4月6日(2018.4.6)
【手続補正１】
【補正対象書類名】明細書
【補正対象項目名】０００６
【補正方法】変更
【補正の内容】
【０００６】
上記課題を解決するための本発明の一態様は、
タッチパネルに対するユーザによる接触操作に基づいて、表示手段に表示されている画像を他の画像に切替える切替え表示を行う表示装置であって、
前記タッチパネルに対するユーザの接触操作による接触位置の数が複数であるか否かを判別する判別手段と、
前記判別手段により接触位置の数が複数であると判別された場合に、当該複数の接触位置のうちの何れかの接触位置における接触状態を維持したままで、他の接触位置における接触状態を一旦解除してから接触状態に戻す接触操作に基づいて、前記切替え表示を制御する制御手段と、
を備えることを特徴としている。
【手続補正２】
【補正対象書類名】特許請求の範囲
【補正対象項目名】全文
【補正方法】変更
【補正の内容】
【特許請求の範囲】
【請求項１】
タッチパネルに対するユーザによる接触操作に基づいて、表示手段に表示されている画像を他の画像に切替える切替え表示を行う表示装置であって、
前記タッチパネルに対するユーザの接触操作による接触位置の数が複数であるか否かを判別する判別手段と、
前記判別手段により接触位置の数が複数であると判別された場合に、当該複数の接触位置のうちの何れかの接触位置における接触状態を維持したままで、他の接触位置における接触状態を一旦解除してから接触状態に戻す接触操作に基づいて、前記切替え表示を制御する制御手段と、
を備えることを特徴とする表示装置。
【請求項２】
当該表示装置は、前記表示手段に表示されている画像を自動で他の画像に切替える自動切替え表示を行い、
前記制御手段は、前記判別手段により接触位置の数が複数であると判別された時点で、前記自動切替え表示を一時停止した後、当該複数の接触位置のうちの何れかの接触位置における接触状態を維持したままで、他の接触位置における接触状態を一旦解除してから接触状態に戻す接触操作に基づいて、前記切替え表示を制御する、
ことを特徴とする請求項１に記載の表示装置。
【請求項３】
前記制御手段は、前記接触状態を維持したままの接触位置と、前記接触状態を戻す接触操作による接触位置と、の異なる位置関係に基づいて、異なるように前記切替え表示を制御することを特徴とする請求項１又は２に記載の表示装置。
【請求項４】
タッチパネルに対するユーザによる接触操作に基づいて、表示手段に表示されている画像を他の画像に切替える切替え表示を行う表示装置であって、
前記タッチパネルに対するユーザの接触操作による接触位置の数が複数であるか否かを判別する判別手段と、
前記判別手段により接触位置の数が複数であると判別された場合に、当該複数の接触位置の位置関係に基づいて、前記切替え表示を制御する制御手段と、
を備えることを特徴とする表示装置。
【請求項５】
当該表示装置は、前記表示手段に表示されている画像を自動で他の画像に切替える自動切替え表示を行い、
前記制御手段は、前記判別手段により接触位置の数が複数であると判別された時点で、前記自動切替え表示を一時停止した後、当該複数の接触位置の位置関係に基づいて、前記切替え表示を制御する、
ことを特徴とする請求項４に記載の表示装置。
【請求項６】
前記制御手段は、前記複数の接触位置のうちの何れかの接触位置における接触状態を維持したままの接触位置と、他の接触位置における接触状態を一旦解除してから接触状態に戻す接触操作の接触位置と、の異なる位置関係に基づいて、異なるように前記切替え表示を制御することを特徴とする請求項４又は５に記載の表示装置。
【請求項７】
タッチパネルに対するユーザによる接触操作に基づいて、表示手段に表示されている画像を他の画像に切替える切替え表示を行う表示装置であって、
前記タッチパネルに対するユーザの接触操作が、接触後、接触状態を一旦解除してから接触状態に戻す接触操作であるか否かを判別する判別手段と、
前記判別手段により、ユーザの接触操作が、接触後、接触状態を一旦解除してから接触状態に戻す接触操作であると判別された場合に、当該接触状態に戻す接触操作と、同時に行われるユーザによる他の接触操作と、に基づいて、前記切替え表示を制御する制御手段と、
を備えることを特徴とする表示装置。
【請求項８】
当該表示装置は、前記表示手段に表示されている画像を自動で他の画像に切替える自動切替え表示を行い、
前記判別手段は、前記タッチパネルに対するユーザの接触操作による接触位置の数が複数であるか否かを、更に判別し、
前記制御手段は、前記判別手段により接触位置の数が複数であると判別された時点で、前記表示手段で行われている自動切替え表示を一時停止した後、前記接触状態に戻す接触操作と、同時に行われるユーザによる他の接触操作と、に基づいて、前記切替え表示を制御する、
ことを特徴とする請求項７に記載の表示装置。
【請求項９】
前記他の接触操作は、接触後、接触位置における接触状態を維持したままの接触操作であって、
前記制御手段は、前記接触状態に戻す接触操作による接触位置と、前記接触状態を維持したままの接触位置と、の異なる位置関係に基づいて、異なるように前記切替え表示を制御することを特徴とする請求項７又は８に記載の表示装置。
【請求項１０】
当該表示装置が表示対象とする画像は所定の基準で配列された静止画像、或いは動画像であって、
前記制御手段は、前記接触状態を維持したままの接触位置と、前記接触状態を戻す接触操作による接触位置と、の位置関係、及び前記切替え表示の切替え方向が、前記所定の基準における方向或いは動画像の再生方向と一致するように、前記切替え表示を制御することを特徴とする請求項３、６、９の何れか一項に記載の表示装置。
【請求項１１】
タッチパネルに対するユーザによる接触操作に基づいて、表示手段に表示されている画像を他の画像に切替える切替え表示を行う表示装置を用いた表示方法であって、
前記タッチパネルに対するユーザの接触操作による接触位置の数が複数であるか否かを判別する処理と、
接触位置の数が複数であると判別された場合に、当該複数の接触位置のうちの何れかの接触位置における接触状態を維持したままで、他の接触位置における接触状態を一旦解除してから接触状態に戻す接触操作に基づいて、前記切替え表示を制御する処理と、
を含むことを特徴とする表示方法。
【請求項１２】
タッチパネルに対するユーザによる接触操作に基づいて、表示手段に表示されている画像を他の画像に切替える切替え表示を行う表示装置を用いた表示方法であって、
前記タッチパネルに対するユーザの接触操作による接触位置の数が複数であるか否かを判別する処理と、
接触位置の数が複数であると判別された場合に、当該複数の接触位置の位置関係に基づいて、前記切替え表示を制御する処理と、
を含むことを特徴とする表示方法。
【請求項１３】
タッチパネルに対するユーザによる接触操作に基づいて、表示手段に表示されている画像を他の画像に切替える切替え表示を行う表示装置を用いた表示方法であって、
前記タッチパネルに対するユーザの接触操作が、接触後、接触状態を一旦解除してから接触状態に戻す接触操作であるか否かを判別する処理と、
ユーザの接触操作が、接触後、接触状態を一旦解除してから接触状態に戻す接触操作であると判別された場合に、当該接触状態に戻す接触操作と、同時に行われるユーザによる他の接触操作と、に基づいて、前記切替え表示を制御する処理と、
を含むことを特徴とする表示方法。